(57)【要約】      （修正有）【課題】小型化でき、かつ二重回路を同時に制御できる効果を有し、応用上も極めて優れた安定性と安全性を備えた継電器を提供する。【解決手段】継電器１は、本体１０と、環状電流トランス１１とを備える。本体１０は、矩形輪郭を有する台座と、台座に相対するように配置され、かつそれぞれ一端が台座内に位置し、他端が台座外へ突出する１対の第１制御接片１０２と、台座に相対するように配置され、かつそれぞれ一端が台座内に位置し、他端が台座外へ突出する１対の第２制御接片１０４と、矩形輪郭をも有し、かつ台座に施蓋される蓋体１０６とを含む。第２制御接片１０４と第１制御接片１０２とは、それぞれ隣接配置されてなる。環状電流トランス１１が本体１０の一側に嵌装されることで、隣接配置されてなる任意の１つの第１制御接片１０２及び任意の１つの第２制御接片１０４を環状電流トランス１１に貫装させる。【選択図】図１Ａ
0003234905.tif 000002
【実用新案登録請求の範囲】
【請求項１】
本体と、環状電流トランスとを備える継電器であって、
前記本体は、矩形輪郭を有する台座と、前記台座に設けられ、かつ相対するように配置される１対の第１制御接片と、前記台座に設けられ、かつ相対するように配置される１対の第２制御接片と、矩形輪郭を有すると共に、前記台座に施蓋される蓋体とを含み、
前記１対の第１制御接片のそれぞれは、一端が前記台座内に位置し、他端が前記台座外へ突出し、前記１対の第１制御接片は、外部回路と接続されるために供されると共に、外部回路の導通状態を制御可能に構成され、
前記１対の第２制御接片のそれぞれは、一端が前記台座内に位置し、他端が前記台座外へ突出し、かつ任意の１つの第２制御接片と任意の１つの第１制御接片とは、間隔をあけて隣接配置されてなり、他の第２制御接片と他の第１制御接片とは、間隔をあけて隣接配置されてなり、前記１対の第２制御接片は、他の外部回路と接続されるために供されると共に、他の外部回路の導通状態を制御可能に構成され、
隣接配置されてなる前記任意の１つの第１制御接片及び前記任意の１つの第２制御接片を、前記本体の一側に嵌装される前記環状電流トランスに貫装させることを特徴とする、継電器。
【請求項２】
前記蓋体は、少なくとも１つの組合部を有し、隣接配置されてなる前記任意の１つの第１制御接片及び前記任意の１つの第２制御接片の一側に位置する前記組合部は、前記蓋体から外向きに延出形成され、かつ延伸部分と固定部分とを有し、
前記延伸部分の一端が前記固定部分に連結され、他端が前記蓋体の外表面に連結され、
前記延伸部分の一側に少なくとも１つの凹溝をまた有し、当該組合部に穿孔が設けられていることを特徴とする、請求項１に記載の継電器。
【請求項３】
前記延伸部分は、２つの前記凹溝を有し、かつ各前記凹溝は、それぞれ凹弧斜辺を有する五角形であることを特徴とする、請求項２に記載の継電器。
【請求項４】
前記１対の第１制御接片は、それぞれ第１区分と第２区分とを有し、
前記第１区分は、一端が前記台座内に位置し、他端が前記台座から延出され、かつ前記第２区分と垂直に連結され、前記第２区分には、前記蓋体の頂側面と相互に平行になると共に、第１組立孔が設けられ、
少なくとも１つの第１制御接片は、その前記第１区分と前記第２区分とが連結される端部側に弧状辺を有することを特徴とする、請求項１〜３のいずれか１項に記載の継電器。
【請求項５】
前記１対の第２制御接片は、それぞれ第３区分と第４区分とを有し、
前記第３区分は、一端が前記台座内に位置し、他端が前記台座から延出され、かつ前記第４区分と垂直に連結され、前記第４区分には、前記蓋体の頂側面と相互に平行になると共に、第２組立孔が設けられ、
少なくとも１つの第２制御接片は、その前記第３区分と前記第４区分とが連結される端部側に弧状辺を有することを特徴とする、請求項４に記載の継電器。
【考案の詳細な説明】
【技術分野】
【０００１】
本考案は、電子スイッチの分野に関連し、とりわけ二重回路を同時に制御でき、かつ高い安定性と安全性を有する継電器に関する。
【背景技術】
【０００２】
継電器は、電子スイッチの一種であり、様々な電子装置に対してよく適用されており、その主要な仕事は、比較的小さい電流を利用して比較的大きい電流を制御するスイッチ効果を達成することで、回路における自動調節、安全保護などの役割を担っていることである。
【０００３】
継電器の応用製品の規格や機能の差異に応じて、継電器の機能や負荷設計などの面からも各種の異なる要求が派生している。現在の市場にある電子製品を見渡すと、電子産業の技術の飛躍的な進展につれて、電子製品の回路設計はますます複雑化していき、従って継電器の電気制御上の要求も次第に多様化してきている。よって、如何にして多様複雑な回路制御に適用でき、構造が簡単であると共に、小型化した体積を備えるなどの要求を満足でき、及び使用上の安全性と組立利便性などを兼ね備えるものを提供するかが、全て昨今の関連メーカーが直面する克服すべき課題となっている。
【考案の概要】
【考案が解決しようとする課題】
【０００４】
これに鑑み、本考案者は、長年にわたり関連業界に従事してきた豊富な経験により、モジュール化と小型化などの市場の傾向に即した単一の継電器製品を提供するという要望に応えるために、二重回路の制御を同時に負荷でき、かつ極めて優れた応用利便性と安全性を備えた継電器を着想、提案している。
【０００５】
本考案の目的は、小型化でき、かつ二重回路を同時に制御できる効果を有し、応用上も極めて優れた安定性と安全性を備えた継電器を提供することを旨とする。
【課題を解決するための手段】
【０００６】
上記目的を達成するために、本考案で開示する継電器は、本体と、環状電流トランスとを備え、本体は、矩形輪郭を有する台座と、前記台座に設けられ、かつ相対するように配置される１対の第１制御接片と、前記台座に設けられ、かつ相対するように配置される１対の第２制御接片と、矩形輪郭を有すると共に、前記台座に施蓋される蓋体とを含み、前記１対の第１制御接片は、一端がそれぞれ前記台座内に位置し、外部回路と接続されるために供されると共に、外部回路の導通状態を制御可能に構成され、前記１対の第２制御接片の一端がそれぞれ前記台座内に位置し、かつ任意の１つの当該第２制御接片と任意の１つの当該第１制御接片とは、間隔をあけて隣接配置されてなり、他の当該第２制御接片と他の当該第１制御接片とは、間隔をあけて隣接配置されてなり、前記１対の第２制御接片は、他の外部回路と接続されるために供されると共に、他の外部回路の導通状態を制御可能に構成され、環状電流トランスが前記本体の一側に嵌装されることで、隣接配置されてなる任意の１つの当該第１制御接片及び任意の１つの当該第２制御接片を前記環状電流トランスに貫装させる。このようにすれば、前記継電器は、小型化した構造の体積のもとに、二重回路の負荷を同時に制御できる効果を奏し、しかも環状電流トランス構造を介して継電器の電流状態をリアルタイムに監視することができることから、応用上の安全性と安定性を向上させることができる。
【考案の効果】
【０００７】
本考案で開示する継電器は、二重回路を制御できると共に、構造を小型化できる利点を有すると同時に、使用上も極めて優れた安定性と安全性を有するため、より優秀な電子スイッチ製品を提供する。さらに、前記継電器の細部の技術的特徴の変化に関しては、本考案からも各種の設置可能な好適な実施態様についての説明を提供し、前の各段落において述べた通りである。
【図面の簡単な説明】
【０００８】
【図１Ａ】本考案の好適な実施例の組立斜視模式図である。
【図１Ｂ】本考案の好適な実施例の他の視角から見た組立斜視模式図である。
【図２】本考案の好適な実施例の組立平面模式図である。
【考案を実施するための形態】
【０００９】
本考案の好適な実施例の組立斜視模式図、他の視角からの組立斜視模式図及び組立平面模式図である図１Ａ〜図２を参照する。本考案で開示する継電器１は、本体１０と、環状電流トランス１１とを備える。本体１０は、台座１０１と、１対の第１制御接片１０２と、１対の第２制御接片１０４と、蓋体１０６とを含む。
【００１０】
台座１０１は、矩形輪郭を有し、１対の第１制御接片１０２は、台座１０１に設けられ、かつ相対するように配置され、１対の第１制御接片１０２の一端がそれぞれ台座１０１内に位置し、他端が台座１０１外へ突出している。１対の第１制御接片１０２は、外部回路と接続されるために供されると共に、外部回路の導通状態を制御可能に構成される。１対の第２制御接片１０４も台座１０１に設けられ、かつ相対するように配置され、１対の第２制御接片１０４の一端がそれぞれ台座１０１内に位置し、他端が台座１０１外へ突出している。かつ任意の１つの当該第２制御接片１０４と任意の１つの当該第１制御接片１０２とは、間隔をあけて隣接配置されており、他の当該第２制御接片１０４と他の当該第１制御接片１０２とは、間隔をあけて隣接配置されている。より好ましくは、隣接する当該第１制御接片１０２及び当該第２制御接片１０４は、台座１０１外に位置する部分の長さが同じであり、このようにすることで組み立てた状態でより好ましい安定性が得られる。１対の第２制御接片１０４は、他の外部回路と接続されるために供されると共に、他の外部回路の導通状態を制御可能に構成される。蓋体１０６は矩形輪郭を有すると共に、台座１０１に施蓋されて密封状態を形成する。
【００１１】
環状電流トランス１１が本体１０の一側に嵌装されることで、隣接配置されてなる任意の１つの当該第１制御接片１０２及び任意の１つの当該第２制御接片１０４を環状電流トランス１１に貫装させる。より好ましくは、環状電流トランス１１からは外向きに保護構造１１１が延出形成され、かつ保護構造１１１は、凹弧面を有する矩形構造体であり、環状電流トランス１１の複数の接続ピン１１２が保護構造１１１から貫出される。これにより、複数の接続ピン１１２は、より好ましい保護を図ることができ、かつ組立に有利である一方、これにより、複数の接続ピン１１２の間隔距離を保持することもできる。環状電流トランス１１の複数の接続ピン１１２は、回路板に接続配置されると共に、継電器１の状態を監視するための素子として用いられ、換言すれば、環状電流トランス１１を介して継電器１の電流状態をリアルタイムに監視することができるため、いかなる予期せぬ不良動作状態でも即時に処理が可能である。
【００１２】
これにより、本考案の継電器１は、単一の継電器構造のみで二重回路を制御できる応用目的を実現し、搭載配置される電子製品は、継電器の素子体積に応じて一定大きさの取付空間を予め確保する必要があるためにもたらされる不便さを回避することができると同時に、制御と使用上もより安定と安全が図られ、特に過熱や焼損状況の発生確率を大幅に低減することができる。その内、継電器の基礎原理は、つまり電力によって回路を制御して導通または非導通状態になり、例えば、電磁効果を用いて接点開閉を制御して回路の導通状態を制御する方式である。しかし、これは本考案の技術的重要ポイントではなく、かつ継電器の基礎技術であり、ここでの重複する説明は割愛する。なおかつ、１対の第１制御接片１０２及び１対の第２制御接片１０４は、それぞれ台座１０１の底側に向かって下向きに貫出した多数個の挿入ピン１０２１、１０４１が延出形成され、そして１対の第１制御接片１０２及び１対の第２制御接片１０４から延出形成される多数個の挿入ピン１０２１、１０４１は、左右交差して配置される態様を呈することができる。
【００１３】
さらに、蓋体１０６は、少なくとも１つの組合部１０６１を有し、当該組合部１０６１は、隣接配置されてなる任意の１つの当該第１制御接片１０２及び任意の１つの当該第２制御接片１０４の一側に位置し、当該組合部１０６１は、蓋体１０６から外向きに延出形成され、かつ当該組合部１０６１は、延伸部分１０６２と、固定部分１０６３とを有し、延伸部分１０６２の一端が固定部分１０６３に連結され、他端が蓋体１０６の外表面に連結され、延伸部分１０６２の一側に少なくとも１つの凹溝１０６４をまた有し、固定部分１０６３に穿孔１０６５が設けられる。当該組合部１０６１は、継電器１の電子製品において固定するための他の構造として用いられてもよく、継電器１は、電子製品の回路板と直接に挿設、溶接固定されるほか、時には、保護の目的あるいはその他の電子部品と接続される目的を達成するために、継電器１を特定の筐体内に納置させる必要もある。この時、蓋体１０６の当該組合部１０６１を介して、継電器１と筐体とを相互に固定できるようにし、全体の組立堅牢性を増強させることができ、とりわけ継電器１を応用する電子製品が常にぶつかりやすく、ひどく揺れる環境中にあることになり、その結果、取付堅牢性の重要さをより一層見出すことが可能となる。勿論、固定部分１０６３の穿孔１０６５は、回路板やその他の基板とも直接にロック固定されてもよく、前述の応用に限られるものではない。その内、延伸部分１０６２上の複数の凹溝１０６４は、組立上の空間として予め確保されると同時に、材料節減の作用を得ることもできる。本実施例では、蓋体１０６が２個の当該組合部１０６１を有し、かつ２個の当該組合部１０６１が対角に配置されることを例として挙げられ、これにより、継電器１を電子製品に組付けるときに、その固装力の分布をより均一にすることができ、全体の安定強度を向上させることができる。そして図２に示すように、１個の当該組合部１０６１は、蓋体１０６の左上隅に位置し、もう１個の当該組合部１０６１は、蓋体１０６の右下隅に位置する。
【００１４】
さらに、一つの好適な実施態様において、延伸部分１０６２は、２個の当該凹溝１０６４を有し、かつ各当該凹溝１０６４は、それぞれ凹弧斜辺を有する五角形であり、そして穿孔１０６５とより好ましい構造マッチング設計を形成することができる。このほか、延伸部分１０６２の当該凹溝１０６４が相対するように配置される側には、２つの傾斜リブ１０６６を有し、かつ２つの傾斜リブ１０６６は、蓋体１０６の外表面へ延在連結されており、このようにして取付応用に有利であるほか、延伸部分１０６２の剛性を増大させることもできる。
【００１５】
このほか、一つの好適な実施態様において、１対の第１制御接片１０２は、それぞれ第１区分１０２２と、第２区分１０２３とを有し、第１区分１０２２の一端が台座１０１内に位置し、他端が台座１０１から延出され、かつ第２区分１０２３と垂直に連結され、第２区分１０２３には、蓋体１０６の頂側面と相互に平行になると共に、第１組立孔１０２４が設けられる。このようにすれば、１対の第１制御接片１０２は、ロック固定方式で組立を行うことができ、かつこの種の組立方式では、継電器１には、大電流に耐える性能を持たせることができるようにし、挿入や溶接に起因する不良電気伝導による影響を除去することができる。同様に、本実施例において、１対の第２制御接片１０４は、それぞれ第３区分１０４２と、第４区分１０４３とを有し、第３区分１０４２の一端が台座１０１内に位置し、他端が台座１０１から延出され、かつ第４区分１０４３と垂直に連結され、第４区分１０４３には、蓋体１０６の頂側面と相互に平行になると共に、第２組立孔１０４４が設けられ、このようにして１対の第２制御接片１０４は、ロック固定方式で組立を行わせることができると共に、上記の大電流耐量効果も得られる。その内、本実施例において、１対の第１制御接片１０２同士は、互いに電気接続される態様で電気ループ回路を形成し、すなわち、図２の上方の当該第１制御接片１０２は、同図の下方に表示された第１区分１０２２及び第２区分１０２３を有する当該第１制御接片１０２と電気的接続をなすことができ、また、１対の第２制御接片１０４同士も、互いに電気接続される態様で電気ループ回路を形成し、すなわち、図２の上方の当該第２制御接片１０４は、同図の下方に表示された第３区分１０４２及び第４区分１０４３を有する当該第２制御接片１０４と電気的接続をなすことができ、各電気ループ回路は、またそれぞれ電磁効果を用いてそれが導通するか否かを制御し、勿論、これは単に一好適な実施態様を説明するものにすぎず、本考案を限定するものではない。
【００１６】
さらに、少なくとも１個の当該第１制御接片１０２は、その第１区分１０２２と第２区分１０２３とが連結される端部側に弧状辺１０２５を有し、このようにして継電器１の組立上における利便性と密着性を向上させることができ、実に前述のように、継電器１の取付環境では、相当多くの制限と変化が生じる可能性があり、弧状辺１０２５を介して一部の組立応用下で継電器１を取付環境とより一層好ましい互換性を形成させることができることから、継電器１の固定後の安定性を向上させることができる。同様に、少なくとも１個の当該第２制御接片１０４は、その第３区分１０４２と第４区分１０４３とが連結される端部側に弧状辺１０４５を有し、このようにして前述の効果を有することもできる。前述の構造態様の実例に基づいて、本実施例では、互いに間隔をあけて隣接配置されてなるそのうちの１組の当該第１制御接片１０２と当該第２制御接片１０４は、いずれも弧状辺１０２５、１０４５を有する構造の態様が呈示され、そしてこの構造態様下で、環状電流トランス１１は、必ずしも弧状辺１０２５、１０４５を有する側に設置される必要がなく、図示のように他側に設置されてもよい。
【００１７】
このほか、蓋体１０６の外頂面に複数の凸リブ１０６７及び中リブ１０６８が設けられ、中リブ１０６８の中心線は、蓋体１０６の長辺中点連結線と重ね合わされ、複数の凸リブ１０６７は、それぞれ中リブ１０６８を中心として蓋体１０６の長辺に対称に近接して設置される。中リブ１０６８及び複数の凸リブ１０６７を介して、蓋体１０６の構造剛性を増大させることができるのみならず、継電器１を電子製品に組立てるときに、中リブ１０６８及び複数の凸リブ１０６７を介して組立環境と相互に係止することなどもできる。
【００１８】
さらに、蓋体１０６に複数個の開孔組１０６９が設けられ、各当該開孔組１０６９は、複数の線状開孔１０６９１を有し、複数の線状開孔１０６９１は、互いに平行かつ等間隔をあけて配置されており、複数個の開孔組１０６９は、それぞれ蓋体１０６の長辺に対応して設置される。これにより、継電器１の作動時に発生する熱エネルギーを有利に排出することができ、継電器１の使用寿命を増すことができる。このほか、台座１０１に１対の第１挿入固定部１０１１及び１対の第２挿入固定部１０１２が設けられ、１対の第１挿入固定部１０１１及び１対の第２挿入固定部１０１２は、それぞれ台座１０１の底側面から延出形成され、かつ１対の第１挿入固定部１０１１及び１対の第２挿入固定部１０１２の幅は、台座１０１の底側面から他端に向かうにつれて漸次縮幅し、１対の第１挿入固定部１０１１及び１対の第２挿入固定部１０１２は、交差に配置され、１対の第１制御接片１０２及び１対の第２制御接片１０４の台座１０１から外に向かって延出形成される挿入ピン１０２１、１０４１を固定するために用いられる。より具体的に言えば、１対の第１挿入固定部１０１１は、１対の第１制御接片１０２の挿入ピン１０２１の貫設固定のために用いられ、１対の第２挿入固定部１０１２は、１対の第２制御接片１０４の挿入ピン１０４１の貫設固定のために用いられ、かつより好ましくは、１対の第１制御接片１０２及び１対の第２制御接片１０４の延出形成される挿入ピン１０２１、１０４１の長さを、１対の第１挿入固定部１０１１及び１対の第２挿入固定部１０１２の長さよりも大きくして、十分な金属部分を露出させて電子製品と電気的導通固定が形成される。そして、漸次縮幅された１対の第１挿入固定部１０１１及び１対の第２挿入固定部１０１２は、挿入ピン１０２１、１０４１の末端に比較的大きい間隔を形成することに有利であり、電気導通に影響する様々な不良効果の発生を回避することができる。
【００１９】
上記をまとめると、本考案で開示する継電器は、二重回路を同時に制御できると共に、構造を小型化できる利点を有し、市場により一層優秀な電子スイッチ製品を提供するように、使用上も極めて優れた安定性と安全性を有する。なおかつ、継電器と電子製品の応用適応性を考慮して、蓋体、台座、１対の第１制御接片及び１対の第２制御接片の構造についても設計を施すことにより、応用上、より安全で、かつ性能が強化された優秀な製品を確実に提供することができる。
【符号の説明】
【００２０】
１  継電器
１０  本体
１０１  台座
１０１１  第１挿入固定部
１０１２  第２挿入固定部
１０２  第１制御接片
１０２１  第１制御接片の挿入ピン
１０２２  第１区分
１０２３  第２区分
１０２４  第１組立孔
１０２５  第１制御接片の弧状辺
１０４  第２制御接片
１０４１  第２制御接片の挿入ピン
１０４２  第３区分
１０４３  第４区分
１０４４  第２組立孔
１０４５  第２制御接片の弧状辺
１０６  蓋体
１０６１  組合部
１０６２  延伸部分
１０６３  固定部分
１０６４  凹溝
１０６５  穿孔
１０６６  傾斜リブ
１０６７  凸リブ
１０６８  中リブ
１０６９  開孔組
１０６９１  線状開孔
１１  環状電流トランス
１１１  保護構造
１１２  接続ピン
【図１Ａ】
0003234905.tif 000003
【図１Ｂ】
0003234905.tif 000004
【図２】
0003234905.tif 000005